(57)【特許請求の範囲】
【請求項１】
車体フレームの前後方向のいずれかの先端部に設けられた一対のステーと、これらステーの先端に設けられたブラケットと、これらブラケットに取り付けられ、車幅方向に延びるアンダランプロテクタ本体とを備えた衝撃吸収式アンダランプロテクタであって、
前記ブラケットは、アンダランプロテクタ本体の長手方向に沿って延びる板材からなると共にその板材の一方に前記ステーに取り付けられるステー取付面部を有し、その他方に傾斜面部を介して前記アンダランプロテクタ本体に沿って延びる本体取付面部を有してなり、
前記ステー取付面部が前記ステーの先端に固定され、前記本体取付面部が前記アンダランプロテクタ本体に、その長手方向に移動可能に連結されて、前記傾斜面部と前記ステー取付面部とで、前記ステーと前記アンダランプロテクタ本体との間に衝撃吸収空間が形成されると共に、前記アンダランプロテクタ本体に衝突力が加わったときの荷重が、前記傾斜面部から前記ステーに伝達されると共に前記ステーからの反力で、前記傾斜面部が変形すると共にその変形で、前記本体取付面部が、前記アンダランプロテクタ本体に沿ってスライドして衝突力を吸収するように前記アンダランプロテクタ本体に締結されており、かつ、前記ブラケットが左右対称に配置されることを特徴とする衝撃吸収式アンダランプロテクタ。
【発明の詳細な説明】
【技術分野】
【０００１】
本発明は、大型車両の前後に小型車両が衝突したとき、小型車両が大型車両に潜り込むのを防止すべく大型車両に設けられるアンダランプロテクタに係り、特に衝突時の衝撃を吸収できる衝撃吸収式アンダランプロテクタに関するものである。
【背景技術】
【０００２】
乗用車等の小型車両がトラック等の大型車両へ潜り込を防止するため、トラックには、リアアンダランプロテクタの装着が義務付けられている。また、リアアンダランプロテクタは、法規強度要件（保安基準第１８条の２の５項、６項）を満足しなければならない。
【０００３】
現行の法規強度要件には、静的な強度要件があるものの、動的な強度要件がない。このため、動的評価を行わなくても実車に設定することはできる。また、衝撃吸収が出来るリアアンダランプロテクタの実用化はない。
【先行技術文献】
【特許文献】
【０００４】
【特許文献１】特開２０１４−０４６８９１号公報
【特許文献２】特開２００８−２１３７０３号公報
【発明の概要】
【発明が解決しようとする課題】
【０００５】
しかしながら、実際起こる事故の大半が後部衝突であり、衝撃吸収性能等の動的な性能が必要と考えられる。
【０００６】
衝撃エネルギを吸収できる衝撃吸収式アンダランプロテクタとしては、特許文献１、２が知られている。
【０００７】
しかしながら、これらはアンダランプロテクタ本体を支持する板材に長孔を形成し、この長孔内に車幅方向に延びるボルトを挿通させて板材を固定するものであったため、衝突時に板材がボルトに当たり、ボルトが破断する場合が考えられた。この場合、アンダランプロテクタ本体が車両から脱落してしまい、アンダランプロテクタ本体の後退量を法規上規定された範囲に留めることができない。
【０００８】
また、特許文献１、２記載のアンダランプロテクタは、構造が複雑であると共に、従来の仕様を大幅に変更する必要があり、コストがかかるという問題があった。
【０００９】
これらの問題から、衝撃吸収式アンダランプロテクタは量産化されていない。
【００１０】
そこで、本発明の目的は、衝突時に脱落や過度な後退の虞がなく、簡易な構造で安価な衝撃吸収式アンダランプロテクタを提供することにある。
【課題を解決するための手段】
【００１１】
上述の目的を達成するため、本発明は、車体フレームの前後方向のいずれかの先端部に設けられたステーと、そのステーの先端に設けられたブラケットと、そのブラケットに取り付けられ、車幅方向に延びるアンダランプロテクタ本体とを備えた衝撃吸収式アンダランプロテクタであって、前記ブラケットは、アンダランプロテクタ本体の長手方向に沿って延びる板材からなると共にその板材の中央部に前記ステーに取り付けられるステー取付面部を有し、前記ステー取付面部の両端から傾斜面部を介して前記アンダランプロテクタ本体に沿って延びる本体取付面部を有してなり、前記ステー取付面部が前記ステーの先端に固定され、前記本体取付面部が前記アンダランプロテクタ本体に、その長手方向に移動可能に連結されて、前記傾斜面部と前記ステー取付面部とで、前記ステーと前記アンダランプロテクタ本体との間に衝撃吸収空間が形成されると共に、前記アンダランプロテクタ本体に衝突力が加わったときの荷重が、前記傾斜面部から前記ステーに伝達されると共に前記ステーからの反力で、前記傾斜面部が変形すると共にその変形で、前記本体取付面部が、前記アンダランプロテクタ本体に沿ってスライドして衝突力を吸収するように前記アンダランプロテクタ本体に締結されているものである。
【発明の効果】
【００１２】
本発明によれば、衝撃吸収式アンダランプロテクタの衝突時の脱落や過度な後退を防ぐことができ、衝撃吸収式アンダランプロテクタを簡易な構造にでき、安価にできる。
【図面の簡単な説明】
【００１３】
【図１】本発明の一実施の形態に係る衝撃吸収式アンダランプロテクタに係り、（ａ）は側面図、（ｂ）は上面図である。
【図２】衝撃吸収式アンダランプロテクタを上方かつ後方から視た斜視図である。
【図３】ブラケットの斜視図である。
【図４】衝撃吸収式アンダランプロテクタが装着されたトラックの側面図である。
【図５】衝撃吸収式アンダランプロテクタの変形を説明する説明図であり、（ａ）は変形前、（ｂ）は変形中、（ｃ）は変形後である。
【図６】他の実施の形態に係り、（ａ）は衝撃吸収式アンダランプロテクタの斜視図、（ｂ）はそのブラケットの斜視図である。
【図７】他の実施の形態に係る衝撃吸収式アンダランプロテクタの変形を説明する説明図であり、（ａ）は変形前、（ｂ）は変形中、（ｃ）は変形後である。
【発明を実施するための形態】
【００１４】
以下、本発明の好適な実施の形態を添付図面にしたがって説明する。なお、後述する実施の形態における前後左右は、車両の走行方向を基準とする。例えば、車両走行方向前方は単に前方、車両走行方向後方は単に後方という。また、アンダランプロテクタには、フロントアンダランプロテクタと、リアアンダランプロテクタとがあり、これらは法規要件が異なるが（フロントアンダランプロテクタの方が要件が高い）、フロントアンダランプロテクタ及びリアアンダランプロテクタは、乗用車の潜り込みを防止する点で機能が類似し、構成も同様であるため、リアアンダランプロテクタについて説明し、フロントアンダランプロテクタについては説明を省略する。
【００１５】
図２及び図４に示すように、衝撃吸収式アンダランプロテクタ１は、車体フレーム２の後端部３に設けられたステー４と、ステー４に設けられたブラケット５と、ブラケット５に取り付けられるアンダランプロテクタ本体６とを備える。
【００１６】
車体フレーム２は、例えばシャシフレームからなり、左右一対のサイドメンバ２ａと、これらサイドメンバ２ａ間に掛け渡して設けられる複数のクロスメンバ２ｂとを有する。
【００１７】
図１（ａ）、図２に示すように、ステー４は、車体フレーム２の左右両側に設けられそれぞれ下方かつ後方に延びる。それぞれのステー４の先端には、後述するブラケット５を取り付けるための取付部４ａが形成されている。取付部４ａは、ブラケット５と当接する取付面が後方に向くように形成されている。
【００１８】
アンダランプロテクタ本体６は、断面矩形の筒状に形成されており、車幅方向に延びる。また特に、アンダランプロテクタ本体６の裏面（取付部４ａと当接する面）は、後述するブラケット５のスライド移動を邪魔しないように平坦に形成されている。
【００１９】
図１（ｂ）、図３に示すように、ブラケット５は、アンダランプロテクタ本体６の長手方向に沿って延びる板材からなる。ブラケット５は、長手方向中央に形成されるステー取付面部７と、ステー取付面部７の両端から斜め後方に鈍角に折り曲げられて形成される一対の傾斜面部８と、これら傾斜面部８から折り曲げられて形成され延長方向がステー取付面部７の延長方向と平行な本体取付面部９とを備える。すなわち、ブラケット５は左右の本体取付面部９間の間隔がステー取付面部７より長い断面ハット状に形成されている。
【００２０】
ステー取付面部７は、平板状に形成されており、ステー４の取付部４ａに複数のボルト１０で固定される。
【００２１】
傾斜面部８は、ステー取付面部７から斜め後方に延びることでステー４とアンダランプロテクタ本体６との間に衝撃吸収空間１１を形成する。傾斜面部８は、アンダランプロテクタ本体６から前方方向の衝突力を受けたとき、その荷重をステー取付面部７を介してステー４に伝達するように形成されている。これにより傾斜面部８は、ステー４から反力を受け、ステー取付面部７に対する角度がさらに鈍角となるように変形するようになっている。傾斜面部８は、変形することで衝撃吸収空間１１を前後方向に狭めつつ衝突力を吸収すると共に、本体取付面部９を車幅方向に押す。左右の傾斜面部８は、左右対称となるように同じ角度で傾斜されると共に、同じ長さに形成されている。
【００２２】
本体取付面部９は、平板状に形成されており、アンダランプロテクタ本体６に長手方向に沿ってスライド移動可能に締結される。具体的には、本体取付面部９には、ボルト１２を挿通させるための長孔１３がブラケット５の長手方向に延びて形成されており、アンダランプロテクタ本体６にボルト締結された本体取付面部９が長孔１３の範囲内でスライド移動可能となっている。また、長孔１３は、アンダランプロテクタ本体６に螺合されたボルト１２からステー取付面部７側に延びるように形成されると共に、傾斜面部８が限界まで潰れたときであっても長孔１３の端がボルト１２と干渉しないように十分長く形成されている。具体的には、長孔１３は、傾斜面部８がステー取付面部７との境を中心として前方に屈曲して潰れたとき、本体取付面部９を押す長さよりも長く形成されている。また、本体取付面部９は、傾斜面部８から車幅方向に押されたとき、アンダランプロテクタ本体６に沿ってスライドして衝突力を吸収するようにアンダランプロテクタ本体６に締結されている。
【００２３】
次に本実施の形態の作用を述べる。
【００２４】
図５（ａ）に示すように、乗用車等がアンダランプロテクタ本体６に後方から衝突した場合、その衝突力はブラケット５を介してステー４に伝達される。ステー４は車体フレーム２に固定されているため、ブラケット５は、アンダランプロテクタ本体６からの衝突力とステー４からの反力とを受けて前後方向に潰れ、衝突力を動的に吸収する。
【００２５】
このとき、図５（ｂ）に示すように、傾斜面部８は、ステー取付面部７との境を中心として先端側が前方に回動するように変形して衝突力を吸収しつつ本体取付面部９を車幅方向に押す。車幅方向に押された本体取付面部９は、アンダランプロテクタ本体６の裏面に沿ってスライド移動する。このとき、本体取付面部９は、アンダランプロテクタ本体６にボルト１２で締結されているため、アンダランプロテクタ本体６と摩擦されると共に、ボルト１０の頭部と摩擦され、これら摩擦力で衝突力が吸収される。また、傾斜面部８は左右対称に形成されているため、本体取付面部９は同じように変形して円滑にスライド移動する。
【００２６】
図５（ｃ）に示すように、アンダランプロテクタ本体６がステー取付面部７を留めるボルト１０と当接して平板状になると、衝撃吸収空間１１（図５（ａ）、（ｂ）参照）はなくなり、ブラケット５の変形は止まる。このとき、長孔１３は十分長く形成されているため、長孔１３の傾斜面部８側の端がボルト１２と当たることはなく、ボルト１２が破断することはない。また、ブラケット５を締結するボルト１２及びナットの締付トルク値を変更することで衝撃吸収量を調節することができる。
【００２７】
この後、衝突力は、アンダランプロテクタ本体６からボルト１０、ステー４を介して車体フレーム２に伝達され、設定された静的な強度で受け止められる。
【００２８】
衝突時の衝撃が大きく、ブラケット５が完全に潰れた場合であっても、ブラケット５がアンダランプロテクタ本体６に沿うように車幅方向に変形し、ブラケット５からアンダランプロテクタ本体６が脱落することはない。また、このとき、ステー４の先端がアンダランプロテクタ本体６の裏面に押し付けられることで、アンダランプロテクタ本体６の後退量が規制されるので、衝撃吸収式アンダランプロテクタ１の後退量を所定の範囲（法規の範囲）に制限できる。
【００２９】
またさらに、アンダランプロテクタ本体６はブラケット５が潰れた分だけ車長方向に移動するだけであり、ブラケット５が潰れた後であってもアンダランプロテクタ本体６を所定の高さに維持することができる。このため、衝突車両を確実に受け止めることができ、衝突車両の潜り込みを確実に防ぐことができ、衝突車両の人的被害を抑えることができる。すなわち、アンダランプロテクタ本体６が所定の高さに維持されることで衝突車両のエンジンルーム等が有する所期の衝撃吸収機能が安定して発揮され、人的被害を抑えることができる。
【００３０】
このように、ブラケット５が、アンダランプロテクタ本体６の長手方向に沿って延びる板材からなり、その板材の中央部にステー４に取り付けられるステー取付面部７を有し、ステー取付面部７の両端から傾斜面部８を介してアンダランプロテクタ本体６に沿って延びる本体取付面部９を有してなり、ステー取付面部７がステー４の先端に固定され、本体取付面部９がアンダランプロテクタ本体６に、長手方向に移動可能に連結されて、傾斜面部８とステー取付面部７とで、ステー４とアンダランプロテクタ本体６との間に衝撃吸収空間１１が形成され、アンダランプロテクタ本体６に衝突力が加わったときの荷重が、傾斜面部８からステー４に伝達されると共にステー４からの反力で、傾斜面部８が変形すると共にその変形で、本体取付面部９が、アンダランプロテクタ本体６に沿ってスライドして衝突力を吸収するようにアンダランプロテクタ本体６に締結されるものとしたため、衝突力をブラケット５の変形とアンダランプロテクタ本体６に対するスライド移動とで吸収でき、アンダランプロテクタ本体６を留めるためのボルト１２等が破断するのを防ぐことができ、アンダランプロテクタ本体６が脱落したり過度に後退するのを防ぐことができる。そして、衝撃吸収式アンダランプロテクタを簡易な構造にでき、安価にできる。また、ステー４とアンダランプロテクタ本体６との間にブラケット５を介設するものであるため、既存のアンダランプロテクタにも容易に適用できる。またさらに、当たった程度の小さな衝突である場合、従来のようにステー４にアンダランプロテクタ本体６を直接設けるものではステー４やアンダランプロテクタ本体６が変形し、修理費用が高くつくが、本実施の形態に係る衝撃吸収式アンダランプロテクタ１ではブラケット５が変形して衝撃を吸収するため、ブラケット５を交換するだけでよく、修理を安価にできる。
【００３１】
ブラケット５は、左右対称に形成されると共に、ステー取付面部７の延長方向と本体取付面部９の延長方向とが平行になるように形成されるため、衝突時にアンダランプロテクタ本体６に対して本体取付面部９を滑らかにスライド移動させることができ、衝撃を良好に吸収できる。
【００３２】
なお、衝撃吸収式アンダランプロテクタ１がリアアンダランプロテクタである場合について述べたが、フロントアンダランプロテクタ（図示せず）であってもよいのは勿論である。この場合、フロントアンダランプロテクタは、リアアンダランプロテクタと前後対称に形成されるとよい。
【００３３】
次に、上述の実施の形態のうちブラケット５に変更を加えた他の実施の形態について述べる。ブラケット５以外の構成については上述と同様であるため説明を省略し、同符号を付す。
【００３４】
図６（ａ）、（ｂ）に示すように、ブラケット２０は、アンダランプロテクタ本体６の長手方向に沿って延びる板材からなる。ブラケット２０は、長手方向の一端部（一方）に形成されたステー取付面部２１と、中央に形成された傾斜面部２２と、他端部（他方）に形成されアンダランプロテクタ本体６に長手方向に移動可能に連結された本体取付面部２３とからなる。
【００３５】
ステー取付面部２１は、平板状に形成されており、ステー４の取付部４ａに複数のボルト１０で固定される。
【００３６】
傾斜面部２２は、ステー取付面部２１から斜め後方に鈍角に折り曲げられて形成される。傾斜面部２２は、ステー取付面部２１から斜め後方に延びることでステー４とアンダランプロテクタ本体６との間に衝撃吸収空間２４を形成する。
【００３７】
本体取付面部２３は、平板状に形成されており、アンダランプロテクタ本体６に長手方向に沿ってスライド移動可能に締結される。具体的には、本体取付面部２３には、ボルト１２を挿通させるための長孔１３がブラケット２０の長手方向に延びて形成されており、アンダランプロテクタ本体６にボルト締結された本体取付面部２３が長孔１３の範囲内でスライド移動可能となっている。また、長孔１３は、アンダランプロテクタ本体６に螺合されたボルト１２から傾斜面部２２側に延びるように形成されると共に、傾斜面部２２が限界まで潰れたときであっても長孔１３の端がボルト１２と干渉しないように十分長く形成されている。具体的には、長孔１３は、傾斜面部２２がステー取付面部２１との境を中心として前方に屈曲して潰れたとき、本体取付面部２３を押す長さよりも長く形成されている。
【００３８】
また、左右一対のステー４のそれぞれに固定されるブラケット２０は、ステー取付面部２１同士が向かい合わせとなる姿勢で左右対称に配置されている。
【００３９】
次に本実施の形態の作用を述べる。
【００４０】
図７（ａ）に示すように、乗用車等がアンダランプロテクタ本体６に後方から衝突した場合、その衝突力はブラケット２０を介してステー４に伝達される。ステー４は車体フレーム２に固定されているため、ブラケット２０は、アンダランプロテクタ本体６からの衝突力とステー４からの反力とを受けて前後方向に潰れ、衝突力を動的に吸収する。
【００４１】
このとき、図７（ｂ）に示すように、傾斜面部２２は、ステー取付面部２１との境を中心として先端側が前方に回動するように変形して衝突力を吸収する。ブラケット２０は左右対称に配置されているため、傾斜面部２２の変形も左右対称となり、アンダランプロテクタ本体６が左右方向に移動することはない。傾斜面部２２は、変形することによって本体取付面部２３を車幅方向に押す。車幅方向に押された本体取付面部２３は、アンダランプロテクタ本体６の裏面に沿ってスライド移動する。このとき、本体取付面部２３は、アンダランプロテクタ本体６と摩擦されると共に、ボルト１０の頭部と摩擦され、これら摩擦力で衝突力が吸収される。
【００４２】
図７（ｃ）に示すように、アンダランプロテクタ本体６がステー取付面部２１を留めるボルト１０と当接すると、衝撃吸収空間２４（図７（ａ）、（ｂ）参照）はなくなり、ブラケット２０の変形は止まる。このとき、長孔１３は十分長く形成されているため、長孔１３の傾斜面部２２側の端がボルト１２と当たることはなく、ボルト１２が破断することはない。また、ブラケット２０を締結するボルト１２及びナットの締付トルク値を変更することで衝撃吸収量を調節することができる。
【００４３】
この後、衝突力は、アンダランプロテクタ本体６からボルト１０、ステー４を介して車体フレーム２に伝達され、静的に受け止められる。
【００４４】
衝突時の衝撃が大きく、ブラケット２０が完全に潰れた場合であっても、ブラケット２０からアンダランプロテクタ本体６が脱落することはない。また、このとき、ステー４の先端がアンダランプロテクタ本体６の裏面に押し付けられることで、アンダランプロテクタ本体６の後退量が規制されるので、衝撃吸収式アンダランプロテクタの後退量を所定の範囲（法規の範囲）に制限できる。
【００４５】
またさらに、アンダランプロテクタ本体６はブラケット５が潰れた分だけ車長方向に移動するだけであり、ブラケット２０が潰れた後であってもアンダランプロテクタ本体６を所定の高さに維持することができる。このため、衝突車両を確実に受け止めることができ、衝突車両の潜り込みを確実に防ぐことができる。
【００４６】
このように、ブラケット２０は、アンダランプロテクタ本体６の長手方向に沿って延びる板材からなると共にその板材の一方にステー４に取り付けられるステー取付面部２１を有し、その他方に傾斜面部２２を介してアンダランプロテクタ本体６に沿って延びる本体取付面部２３を有してなり、ステー取付面部２１がステー４の先端に固定され、本体取付面部２３がアンダランプロテクタ本体６に、その長手方向に移動可能に連結されて、傾斜面部２２とステー取付面部２１とで、ステー４とアンダランプロテクタ本体６との間に衝撃吸収空間２４が形成されると共に、アンダランプロテクタ本体６に衝突力が加わったときの荷重が、傾斜面部２２からステー４に伝達されると共にステー４からの反力で、傾斜面部２２が変形すると共にその変形で、本体取付面部２３が、アンダランプロテクタ本体６に沿ってスライドして衝突力を吸収するようにアンダランプロテクタ本体６に締結されており、かつ、ブラケット２０が左右対称に配置されるものとしたため、衝突力をブラケット２０の変形とアンダランプロテクタ本体６に対するスライド移動とで吸収でき、衝突時にアンダランプロテクタ本体６を留めるためのボルト１２等が破断するのを防ぐことができ、アンダランプロテクタ本体６が脱落したり過度に後退するのを防ぐことができる。そして、衝撃吸収式アンダランプロテクタ２５を簡易な構造にでき、安価にできる。また、既存のアンダランプロテクタにも容易に適用できる。またさらに、当たった程度の小さな衝突である場合、ブラケット５が変形して衝撃を吸収するため、ブラケット５を交換するだけでよく、修理を安価にできる。
【符号の説明】
【００４７】
１  衝撃吸収式アンダランプロテクタ
２  車体フレーム
４  ステー
５  ブラケット
６  アンダランプロテクタ本体
７  ステー取付面部
８  傾斜面部
９  本体取付面部
１１  衝撃吸収空間
【図１】
0006630550.tif 000002
【図２】
0006630550.tif 000003
【図３】
0006630550.tif 000004
【図４】
0006630550.tif 000005
【図５】
0006630550.tif 000006
【図６】
0006630550.tif 000007
【図７】
0006630550.tif 000008